(57)【要約】【課題】発光素子から発射される光を導入する導光体によって直接操作つまみの操作部を照明しなくても、操作つまみの操作部を容易かつ確実に照光することができる電子部品の導光構造を提供すること。【解決手段】第４ケース３００に設けた開口３０５から操作つまみ１００の外周の操作部１０１の一部を露出する。回路基板１６０上に設置した発光素子１６９から発射された光を、回路基板１６０の発光素子１６９を設置した面側に設置した導光体１９０の内部に導入して内部で反射させ、光出射面１９５から出射させる。操作つまみ１００の軸部１１１と操作部１０１の間を光学的につなぐつまみ用導光部Ａ１を設け、導光体１９０の光出射面１９５から出射した光を、つまみ用導光部Ａ１の軸部１１１側に位置する光入射面１１７から入射して操作部１０１に導く。【選択図】図２
2018026346.tif 000002
【特許請求の範囲】
【請求項１】
回路基板の一方の面側に、軸部を中心に円運動または円弧運動または揺動運動する操作つまみを設置し、前記操作つまみと回路基板の間に操作つまみの前記運動に応じて出力を変化する検出手段を設け、前記操作つまみと回路基板と検出手段とをケース内に収納し、ケースに設けた開口から前記操作つまみの外周の操作部の一部を露出し、
前記回路基板上に設置した発光素子から発射された光を、前記回路基板の発光素子を設置した面側に配置した導光体の内部に導入してこの導光体の所望の位置に設けた光出射面から出射させる電子部品の導光構造であって、
前記操作つまみの軸部と操作部の間を光学的につなぐつまみ用導光部を設け、前記導光体の光出射面から出射した光を、前記つまみ用導光部の前記軸部側に位置する光入射面から入射して前記操作部に導くことを特徴とする電子部品の導光構造。
【請求項２】
請求項１に記載の電子部品の導光構造であって、
前記発光素子と前記操作つまみは、前記回路基板を挟んだ反対面側に設置されていることを特徴とする電子部品の導光構造。
【請求項３】
請求項２に記載の電子部品の導光構造であって、
前記回路基板には、前記導光体または前記つまみ用導光部を挿入して光を通す挿通部が設けられていることを特徴とする電子部品の導光構造。
【請求項４】
請求項３に記載の電子部品の導光構造であって、
前記導光体の光出射面と、前記つまみ用導光部の光入射面との間には、接触防止用の隙間が形成されていることを特徴とする電子部品の導光構造。
【請求項５】
請求項１乃至４の内の何れかに記載の電子部品の導光構造であって、
前記導光体には、前記つまみ用導光部の光入射面に向けて光を出射する光出射面の他に、前記ケースに設けた照光部の裏面に向けて光を出射する光出射面を設けたことを特徴とする電子部品の導光構造。
【発明の詳細な説明】
【技術分野】
【０００１】
本発明は、操作つまみを有する電子部品の導光構造に関するものである。
【背景技術】
【０００２】
従来、回転式電子部品の中には、例えば特許文献１に示すように、回転式電子部品（１）の回転つまみ（１８０）の外周部分の一部を外装用ケース（３００）に設けた回転つまみ露出部（３０３）から外部に露出し、回転つまみ（１８０）の前記回転つまみ露出部（３０３）から露出した部分を指等で回転操作することで、内部の電気的機能部（摺接パターン６５，摺動子１１０）を駆動し、その検出出力を変化させる構造のものがあった。
【０００３】
一方、回路基板（６０）上に設置した発光素子（７０）から発射された光は、導光板（４０）の内部に導入されて光乱反射部（４３）に導かれ、光乱反射部（４３）の前面から放射されて回転つまみ（１８０）のつまみ操作部（１８３）の背面側からこのつまみ操作部（１８３）を照らし出し、塗装されているつまみ操作部（１８３）表面の抜き文字等の部分を明るく表示する。
【先行技術文献】
【特許文献】
【０００４】
【特許文献１】特開２０１０−９９３７号公報
【発明の概要】
【発明が解決しようとする課題】
【０００５】
しかしながら、回転つまみを有する電子部品の中には、その構造上、回転つまみのつまみ操作部の背面側に導光板を設置することが困難な場合があった。例えば、特許文献１に示す回転式電子部品（１）の場合、回転つまみ（１８０）のつまみ操作部（１８３）の背面側に導光板（４０）の光乱反射部（４３）を設置しているが、このため、回転つまみ（１８０）のつまみ操作部（１８３）と外装用ケース（３００）の回転つまみ露出部（３０３）の間の隙間から液体が浸入した場合、浸入した液体は、直接導光板（４０）を伝って、発光素子（７０）を設置した回路基板（６０）表面に付着してしまう虞がある。これを防止するために、防滴構造を設置しようとすると、回転つまみ（１８０）のつまみ操作部（１８３）の背面側付近の構造が複雑化し、つまみ操作部（１８３）の背面側付近のスペースに導光板（４０）の光乱反射部（４３）を設置することが困難になる。
本発明は上述の点に鑑みてなされたものでありその目的は、発光素子から発射される光を導入する導光体によって直接操作つまみの操作部を照明しなくても、操作つまみの操作部を容易かつ確実に照光することができる電子部品の導光構造を提供することにある。
【課題を解決するための手段】
【０００６】
本発明は、回路基板の一方の面側に、軸部を中心に円運動または円弧運動または揺動運動する操作つまみを設置し、前記操作つまみと回路基板の間に操作つまみの前記運動に応じて出力を変化する検出手段を設け、前記操作つまみと回路基板と検出手段とをケース内に収納し、ケースに設けた開口から前記操作つまみの外周の操作部の一部を露出し、前記回路基板上に設置した発光素子から発射された光を、前記回路基板の発光素子を設置した面側に配置した導光体の内部に導入してこの導光体の所望の位置に設けた光出射面から出射させる電子部品の導光構造であって、前記操作つまみの軸部と操作部の間を光学的につなぐつまみ用導光部を設け、前記導光体の光出射面から出射した光を、前記つまみ用導光部の前記軸部側に位置する光入射面から入射して前記操作部に導くことを特徴としている。
本発明によれば、発光素子から導光体に導入された光を、操作つまみに設けたつまみ用導光部を通して、操作つまみの操作部に導くので、操作つまみの操作部を容易かつ確実に明るく照明することができる。また例えば防滴等の関係で、構造上、導光体によって直接操作つまみの操作部を照明できない場合であっても、前記操作部を照明することが可能になる。
【０００７】
また本発明は、前記発光素子と前記操作つまみが、前記回路基板を挟んだ反対面側に設置されていることを特徴としている。
これによって、回路基板の一方の面側に検出手段等の回路を、もう一方の面側に発光素子等の回路を配置できる。つまり、回路基板の両面を有効に利用できる。また回路基板の発光素子を設置した面側に導光体を、検出手段を設置した面側に操作つまみを設置するので、導光体と操作つまみの両者が相互に干渉せず、両者の設計の自由度を高くすることができる。
【０００８】
また本発明は、前記回路基板に、前記導光体または前記つまみ用導光部を挿入して光を通す挿通部を設けたことを特徴としている。
これによって、回路基板の一方の側にある導光体内の光を、もう一方の側にある操作つまみのつまみ用導光部に、容易且つ確実に導入することができる。
【０００９】
また本発明は、前記導光体の光出射面と、前記つまみ用導光部の光入射面との間に、接触防止用の隙間を形成したことを特徴としている。
これによって、導光体の光出射面と、円運動等するつまみ用導光部の光入射面とが接触して摺動・摩耗して生じる摩耗粉（カス）等によって光が乱反射し、つまみ用導光部内に確実に光を導入できなくなることを防止することができる。
【００１０】
また本発明は、前記導光体に、前記つまみ用導光部の光入射面に向けて光を出射する光出射面の他に、前記ケースに設けた照光部の裏面に向けて光を出射する光出射面を設けたことを特徴としている。
これによって、１つの導光体に、操作つまみの操作部とケースの照光部の２箇所を照光する機能を持たせることができる。
【発明の効果】
【００１１】
本発明によれば、発光素子から発射される光を導入する導光体によって直接操作つまみの操作部を照明しなくても、操作つまみの操作部を容易かつ確実に照光することが可能になる。
【図面の簡単な説明】
【００１２】
【図１】電子部品１の斜視図である。
【図２】電子部品１の概略断面図（図１のＡ−Ａ概略断面図）である。
【図３】本体ユニット１０と第４ケース３００と防滴部材２５０の分解斜視図である。
【図４】本体ユニット１０の分解斜視図である。
【図５】本体ユニット１０を別の角度から見た分解斜視図である。
【図６】第４ケース３００を後側の下側から見た斜視図である。
【発明を実施するための形態】
【００１３】
以下、本発明の実施形態を図面を参照して詳細に説明する。図１は本発明の１実施形態を用いて構成された電子部品（以下「回転式電子部品」という）１の斜視図、図２は回転式電子部品１の概略断面図（図１のＡ−Ａ概略断面図）、図３は回転式電子部品１を構成する本体ユニット１０と第４ケース３００と防滴部材（以下「パッキン」という）２５０とを分解して示す斜視図、図４は本体ユニット１０の分解斜視図、図５は本体ユニット１０を別の角度から見た分解斜視図である。これらの図に示すように回転式電子部品１は、各種部品を収納した本体ユニット１０と、本体ユニット１０の操作つまみ１００を突出する側の面を覆う第４ケース３００とを具備して構成されている。なお以下の説明において、「上」とは本体ユニット１０から第４ケース３００を見る方向をいい、「下」とはその反対方向をいうものとする。また「前」とは下記する第１ケース２０から操作つまみ１００側を見る方向をいい、「後」とは第１ケース２０から下記する回路基板１６０側を見る方向をいうものとする。
【００１４】
図２〜図５に示すように本体ユニット１０は、第１ケース２０と第２ケース７０の間に、摺動子１３０を取り付けた操作つまみ１００を収納し、また第１ケース２０の反対面側に、端子ユニット１４０を収納し、その上から回路基板１６０と、導光体１９０と、第３ケース２２０とを設置して構成されている。また回転式電子部品１は、この本体ユニット１０にパッキン２５０と第４ケース３００とを装着して構成されている。
【００１５】
第１ケース２０は非透明材料からなる合成樹脂を略矩形箱型に成形した成形品であり、その上部中央に略円筒状の軸受部２１を設け、この軸受部２１の操作つまみ１００を向く側に凹部からなる第１収納部２３を、回路基板１６０を向く側に凹部からなる第２収納部２５を設けて構成されている。第１ケース２０の左右両側面の第１収納部２３側の部分には、下記する第２ケース７０の爪部７９を係止する矩形状の貫通孔からなる一対の被係止部２７が設けられている。また第１ケース２０の左右両側面の第２収納部２５側の部分には、下記する第３ケース２２０の爪部２２３を係止する矩形状の貫通孔からなる一対の被係止部２９が形成されている。また第１ケース２０の左右両側面の前記両被係止部２７，２９の間の位置には、下記する第４ケース３００の被係止部３０９を係止する爪状の一対の係止部３０が形成されている。軸受部２１の下方には、後方に向かって開口する略矩形状の端子ユニット収納部３１が形成されている。また前記軸受部２１の上面の中央部分の円弧面部分と、その左右両側の第１収納部２３側に突出する上辺部分はパッキン搭載面３３（３３ａ〜３３ｃ）となっている。また下記する操作つまみ１００のストッパ部１２９を当接してそれより上方向への移動を阻止する左右一対のストッパ係止部３５（図４では一方のみ示す）が形成されている。また図示はしていないが、第１収納部２３内の軸受部２１を設けた面の下方（下記するクリック用ボール１２７に対向する位置）には、円弧状方向（クリック用ボール１２７の移動する円弧方向）に向かって凹凸するクリック係合部が形成されている。
【００１６】
第２ケース７０は、非透明材料からなる合成樹脂を一体成形して構成されており、略平板矩形状のケース本体部７１と、ケース本体部７１の上部中央から操作つまみ１００側に向けて突出する円板状のつまみ支持部７３とを具備して構成されている。つまみ支持部７３の操作つまみ１００側の面の外周部分は円筒状に突出しており、またその内側中央には、有底円筒状の突出部７５が突出して設けられている。ケース本体部７１の左右両側辺からは、操作つまみ１００側に向けて一対の係止爪７７が突出している。係止爪７７は平板状であり、その先端近傍の両外側位置に爪部７９を設けている（図４，図５では一方のみ示す）。またケース本体部７１の上辺は、下記するパッキン２５０を当接するパッキン搭載面８１となっている。
【００１７】
操作つまみ１００は合成樹脂の成形品であり、透明材料と非透明材料からなる二色成形品である。操作つまみ１００は略円板形状であり、その外周面が操作部１０１となっている。操作つまみ１００の第２ケース７０側を向く面には、円形の凹部１０３が設けられ、凹部１０３内には、２つの筒状の突出部１０５，１０７が同心円状に突設されている。両突出部１０５，１０７の間の円形の凹部は、前記第２ケース７０の突出部７５を挿入する挿入部１０９となっている。また突出部１０７中央の凹部の底面は、略円錐凹状の光反射面１１０となっている。操作つまみ１００の第１ケース２０側を向く面の中央からは、略円柱形状の軸部１１１が突出している。軸部１１１の上面は摺動子取付面１１３となっており、さらに摺動子取付面１１３の中央からは円錐台形状の導光用突起１１５が突出している。導光用突起１１５の先端面は光入射面１１７になっている。摺動子取付面１１３上には、小突起からなる摺動子取付突部１１９が形成されている。軸部１１１の周囲には、リング状の防滴用凹部１２１が形成されている。また操作つまみ１００の第１ケース２０側を向く面の外周部分には、有底円形の穴からなるクリック機構収納部１２３が形成されている。クリック機構収納部１２３には、コイルバネ１２５とクリック用ボール１２７とが収納される。またクリック機構収納部１２３を設けたその外周部分は、操作つまみ１００の外周から外方に膨らんでおり、膨らんだ部分をストッパ部１２９としている。
【００１８】
また上述のように、操作つまみ１００は、２種類の樹脂Ａ１，Ａ２（図２参照）を一体成形することによって構成されている。一方の樹脂Ａ１は透明な樹脂であり、もう一方の樹脂Ａ２は不透明な樹脂である。透明な樹脂Ａ１は、その全体がつまみ用導光部Ａ１を構成し、この操作つまみ１００の軸部１１１と操作部１０１の間を光学的につないでおり、操作部１０１の外周面と、導光用突起１１５の光入射面１１７間を光学的に結ぶように成形されている。光入射面１１７は円形の平面状に形成されている。つまみ用導光部Ａ１は、略円板状の導光本体部Ａ１１と、導光本体部Ａ１１の中心から軸部１１１側に垂直に突出して軸部１１１の中心部分を構成する導光軸部Ａ１３とを具備している。導光本体部Ａ１１の導光軸部Ａ１３とは反対側の面の中央に、前記光反射面１１０が形成されている。また前記両突出部１０５，１０７も導光本体部Ａ１１の一部を構成している。一方、樹脂Ａ２は、導光本体部Ａ１１の光反射面１１０側の面の操作部１０１の裏面側の部分と、導光本体部Ａ１１の軸部１１１側の面略全体の部分とに形成されており、軸部１１１の導光軸部Ａ１３を除く部分と、摺動子取付面１１３と、防滴用凹部１２１とを構成している。
【００１９】
摺動子１３０は、弾性金属板製であって、基部１３１と、基部１３１の外周からアーチ状に突出してそれらの根元部分を折り返してなるアーム部１３３とを具備している。アーム部１３３の中央には、回路基板１６０側に向けて突出するように屈曲する接点部１３５が形成されている。また基部１３１には、小孔からなる取付孔１３７が形成されている。
【００２０】
端子ユニット１４０は、６本の金属板製の端子１４１を、略矩形状の成形樹脂製の端子用ケース１４３と略四角柱状の端子保持ケース１４５にインサート成形して構成されている。各端子１４１の一端は端子用ケース１４３の後方の面から１列に６本突出しており、他端側は端子用ケース１４３の側面から突出して下方向に屈曲し、端子保持ケース１４５で固定された後にその先端が端子保持ケース１４５の下面から一列に６本突出している。
【００２１】
回路基板１６０は、硬質で略矩形状の板からなる絶縁基板１６１の上部に、円形の貫通する挿通部１６３を設け、この挿通部１６３の周囲の前面側に、前記摺動子１３０の接点部１３５を摺接させる摺接パターン１６５を形成し、また絶縁基板１６１の下辺近傍に横一列に前記端子１４１の一端を挿入する６つの小孔からなる端子挿入孔１６７を形成し、さらに絶縁基板１６１の後面側の前記挿通部１６３の下部に発光素子１６９を取り付け、また所定位置に他の各種電子部品１７１を取り付けて構成されている。絶縁基板１６１上には、図示しない回路パターンが形成されており、前記摺接パターン１６５や発光素子１６９や各種電子部品１７１や前記端子挿入孔１６７に取り付けられる端子１４１間を電気的に接続する。摺接パターン１６５としては、スイッチパターンや抵抗体パターン等の種々のパターンが適用できる。
【００２２】
導光体１９０は、透明な合成樹脂を、前面が解放された略矩形箱型に一体成形して構成されている。導光体１９０の前面側は凹状の基板収納部１９１となっており、その底面の上部から円柱状の光導出部１９３を突出している。基板収納部１９１は、前記回路基板１６０全体を収納して覆う形状に形成されている。光導出部１９３は前記回路基板１６０の挿通部１６３に挿入できる寸法に形成されており、その先端面は光出射面１９５となっている。光出射面１９５は円形の平面状に形成されており、前記光入射面１１７と同一の外径寸法に形成されている。また導光体１９０の上端面も光出射面１９７となっている。また、導光体１９０の後面側には、光出射面１９５方向に光を反射させる光反射面１９９と、光出射面１９７方向に光を反射させる光反射面２０１とが形成されている。
【００２３】
第３ケース２２０は、非透明な合成樹脂を略平板矩形状に成形して構成されており、前記第１ケース２０の後面を略覆う外形形状に形成されている。第３ケース２２０の左右両側辺からは、第１ケース側に向けて一対の係止爪２２１を突出している。係止爪２２１は平板状であり、その先端近傍の両外側位置に爪部２２３を設けている。
【００２４】
図３に示すように、パッキン２５０は、エラストマー等の弾性体を、横断面円形で略矩形のリング状に形成し、前方側の辺と左右両側辺を直線状に、後方側の辺を上方向に円弧状に湾曲した形状として構成されている。
【００２５】
図６は第４ケース３００を後側の下側から見た斜視図である。同図及び図２，図３等に示すように、第４ケース３００は、合成樹脂の成形品であり、下面が解放された略矩形箱型に成形して構成されており、これによって第４ケース３００の下面に本体ユニット１０の上部の部分を覆って収納するケース本体収納部３０１を形成している。第４ケース３００の上面（化粧面）３０３の前記操作つまみ１００に対向する位置には、操作つまみ１００の操作部１０１の一部を露出する開口３０５が形成され、また前記導光体１９０の光出射面１９７に対向する位置には、照光部３０７が形成されている。照光部３０７は、第４ケース３００を構成する透明な成形樹脂の表面に塗布した不透光性の塗装を、所望の文字や記号等の形状にレーザー等によって切り欠くことで形成されているが、他の種々の方法によって形成しても良い。また第４ケース３００の左右両側面には、それぞれ前記第１ケース２０の係止部３０を係止する矩形状の貫通孔からなる被係止部３０９が形成されている。第４ケース３００の開口３０５の周囲の裏面側には、開口３０５を囲むように、パッキン搭載面３１１（３１１ａ〜３１１ｄ、但し３１１ｃは図示せず）が形成されている。パッキン搭載面３１１は、略矩形リング状（パッキン２５０と同様の形状）の面を形成するように構成されている。
【００２６】
次に、回転式電子部品１を組み立てるには、まず、本体ユニット１０を組み立てる。即ち予め、操作つまみ１００の摺動子取付面１１３に摺動子１３０の基部１３１を載置し、その際、摺動子取付面１１３の摺動子取付突部１１９を摺動子１３０の取付孔１３７に挿入し、その先端を熱カシメして（又は圧入のみで）取り付けておく。また操作つまみ１００の防滴用凹部１２１内に、防滴用のグリスＧを充填しておく。一方、端子ユニット１４０の後方から突出する各端子１４１の先端を、回路基板１６０の各端子挿入孔１６７に挿入し、その反対側において回路基板上の図示しない回路パターンに半田ｈ（図２参照）によって固定しておく。
【００２７】
そして、第１ケース２０の第１収納部２３内に、前記摺動子１３０を取り付け且つコイルバネ１２５とクリック用ボール１２７をクリック機構収納部１２３に収納した操作つまみ１００を収納し、その際、操作つまみ１００の軸部１１１を、第１ケース２０の軸受部２１内に回動自在に挿入し、軸支する。このとき、操作つまみ１００のグリスＧを充填した防滴用凹部１２１内に、第１ケース２０の軸受部２１が挿入されることで、防滴処理部が形成される。次に、前記操作つまみ１００の前方側の側面を覆うように、第２ケース７０を取り付け、係止爪７７の爪部７９を第１ケース２０の被係止部２７に係止し、これによって操作つまみ１００を挟んだ状態で第２ケース７０を第１ケース２０に取り付ける。このとき、第２ケース７０のつまみ支持部７３が操作つまみ１００の前方側の側面を覆い、その突出部７５が操作つまみ１００の挿入部１０９に挿入される。
【００２８】
次に、前記端子ユニット１４０を取り付けた回路基板１６０と導光体１９０とを、第１ケース２０の第２収納部２５内に収納し、さらにその上から第３ケース２２０を被せる。そして第３ケース２２０の各爪部２２３を、第１ケース２０の各被係止部２９に係止し、これによって図３に示すような本体ユニット１０が完成する。
【００２９】
このとき、第１ケース２０と第２ケース７０の間の上面には開口Ｈ１が形成され、第１ケース２０と第３ケース２２０の間の上面には開口Ｈ２（図２参照）が形成される。そして開口Ｈ１内には、操作つまみ１００の操作部１０１の一部が外部（上方）に突出するように露出する。また開口Ｈ２内には、導光体１９０の光出射面１９７が外部（上方）に突出するように露出する。また、図２に示すように、回路基板１６０の摺接パターン１６５には、摺動子１３０の接点部１３５が当接している。またこのとき、端子ユニット１４０は、端子ユニット収納部３１内に収納されている。またこのとき、導光体１９０の外周辺は、第１ケース２０の導光体１９０側を向く面に当接し、回路基板１６０を覆っている。また導光体１９０の光導出部１９３は、回路基板１６０の挿通部１６３に挿入され、その先端の光出射面１９５は操作つまみ１００の光入射面１１７に接近して、薄い隙間ａ１を介して対向している。
【００３０】
次に、図３に示すパッキン２５０を、第４ケース３００のケース本体収納部３０１内に挿入し、第４ケース３００のパッキン搭載面３１１（３１１ａ〜３１１ｄ）に当接・設置する。そして、このパッキン２５０を取り付けた第４ケース３００を、本体ユニット１０の上から被せるように取り付ける。即ち、第４ケース３００のケース本体収納部３０１内に本体ユニット１０の上部を収納し、その際、本体ユニット１０の各係止部３０を、第４ケース３００の各被係止部３０９に係止し、これによって回転式電子部品１の組み立てを完了する。なお上記組立手順はその一例であり、他の各種異なる組立手順を用いて組み立てても良いことはいうまでもない。
【００３１】
このとき、図１，図２に示すように、操作つまみ１００の操作部１０１の一部は、開口３０５から露出する。また第４ケース３００の照光部３０７の下面（裏面）に対向する位置に、導光体１９０の光出射面１９７が配置される。またこのとき、パッキン２５０は、第４ケース３００のパッキン搭載面３１１（３１１ａ〜３１１ｄ）と、前記本体ユニット１０のパッキン搭載面３３（３３ａ〜３３ｃ），８１との間で挟持され、密閉される。
【００３２】
以上のようにして組み立てられた回転式電子部品１において、操作つまみ１００を回転すると、摺動子１３０の接点部１３５が回路基板１６０の摺接パターン１６５上を摺動し、これによって各端子１４１間の検出出力が変化する。なお、操作つまみ１００は、これを回転した際、そのストッパ部１２９（図５参照）が、第１ケース２０の第１収納部２３内に設けた左右一対のストッパ係止部３５（図４では一方のみ示す）に当接することで、約半回転以上回転しない。つまり操作つまみ１００は円弧運動をする。
【００３３】
そして発光素子１６９を発光すれば、その光は図２に一点鎖線で示すように、導光体１９０内に導入される。導光体１９０内に導入された光の一部は、光反射面２０１等で反射されることで前記光出射面１９７に向かい、その面から放出され、前記第４ケース３００の照光部３０７をその裏面側から明るく照らし出す。一方、発光素子１６９から導光体１９０内に導入された光の一部は、光反射面１９９等で反射されることで、前記光出射面１９５に向かい、その面から放出され、操作つまみ１００の光入射面１１７からつまみ用導光部Ａ１内に導入される。つまみ用導光部Ａ１内に導入された光は、導光軸部Ａ１３内を進み、光反射面１１０等で反射されることで、導光本体部Ａ１１内を進み、操作部１０１の外周面に導かれ、操作部１０１を明るく照らし出す。
【００３４】
一方、この回転式電子部品１は、図示しない電子機器の操作パネルに装着され、その際、第４ケース３００の上面３０３が化粧面として、操作パネルの外部に露出する。そしてこの操作パネルの外部に露出した上面３０３に液体が降りかかることがある。降りかかった液体は、第４ケース３００の開口３０５からその内部に浸入する。浸入した液体は、第４ケース３００の内側面と、第１，第２ケース２０，７０の外側面との間の隙間から浸入しようとするが、その浸入は、パッキン２５０によって防止される。一方、本体ユニット１０の開口Ｈ１内へ浸入した液体の内の一部は、摺動子１３０側に浸入しようとするが、前記グリスＧを充填した防滴処理部によって、その浸入は阻止される。以上の各点から、第４ケース３００の開口３０５から内部に浸入しようとする液体を効果的に防滴することができる。
【００３５】
以上説明したように、この回転式電子部品１は、回路基板１６０の一方の面側に、軸部１１１を中心に円運動（円弧運動や揺動運動を含む）する操作つまみ１００を設置し、操作つまみ１００と回路基板１６０の間に操作つまみ１００の前記運動に応じて出力を変化する摺動子１３０及び摺接パターン１６５からなる検出手段を設け、操作つまみ１００と回路基板１６０と検出手段とを第１〜第４ケース２０，７０，２２０，３００内に収納し、第４ケース３００に設けた開口３０５から操作つまみ１００の外周の操作部１０１の一部を露出し、回路基板１６０上に設置した発光素子１６９から発射された光を、回路基板１６０の発光素子１６９を設置した面側に配置した導光体１９０の内部に導入してこの導光体１９０の所望の位置に設けた光出射面１９５から出射させ、さらに操作つまみ１００の軸部１１１と操作部１０１の間を光学的につなぐつまみ用導光部Ａ１を設け、前記導光体１９０の光出射面１９５から出射した光を、つまみ用導光部Ａ１の軸部１１１側に位置する光入射面１１７から入射して操作部１０１に導く構成となっている。これによって、発光素子１６９から導光体１９０に導入された光を、操作つまみ１００に設けたつまみ用導光部Ａ１を通して、操作つまみ１００の操作部１０１に導くので、操作つまみ１００の操作部１０１を容易かつ確実に明るく照明することができる。またこの例のように、防滴のためにパッキン２５０を設置する関係で、構造上、導光体１９０によって直接操作つまみ１００の操作部１０１を照明できない場合であっても、操作部１０１を照明することが可能になる。
【００３６】
また発光素子１６９と操作つまみ１００を、回路基板１６０を挟んだ反対面側に設置しているので、回路基板１６０の一方の面側に検出手段等の回路を、もう一方の面側に発光素子１６９等の回路を配置できる。つまり、回路基板１６０の両面を有効に利用できる。また回路基板１６０の発光素子１６９を設置した面側に導光体１９０を、検出手段を設置した面側に操作つまみ１００を設置するので、導光体１９０と操作つまみ１００の両者が相互に干渉せず、両者の設計の自由度を高くすることができる。
【００３７】
また回路基板１６０には、導光体１９０又はつまみ用導光部Ａ１を挿入して光を通す挿通部１６３を設けたので、回路基板１６０の一方の側にある導光体１９０内の光を、もう一方の側にある操作つまみ１００のつまみ用導光部Ａ１内に、容易且つ確実に導入することができる。
【００３８】
また導光体１９０の光出射面１９５と、つまみ用導光部Ａ１の光入射面１１７との間に接触防止用の隙間ａ１を形成したので、光出射面１９５と、円運動等する光入射面１１７とが接触して摺動・摩耗して生じる摩耗粉（カス）等によって光が乱反射し、つまみ用導光部Ａ１内に確実に光を導入できなくなることを防止することができる。
【００３９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では、導光体の光出射面とつまみ用導光部の光入射面との間に接触防止用の隙間を形成したが、場合によっては両者を当接させてもよい。また導光体の光出射面とつまみ用導光部の光入射面は、何れも平面としたが、平面以外の形状であっても良い。また上記実施形態では、回路基板の挿通部に導光体の光出射面を形成した光導出部を挿入したが、その代わりに、つまみ用導光部の光入射面を形成した導光軸部の先端を挿入しても良い。また上記実施形態では、つまみ用導光部として中実な透明樹脂を用いたが、例えば内部に空間を設け、空間内を光が伝導するように構成してもよく、要は導光体の光出射面から出射した光がつまみ用導光部の光入射面から入射して操作部に導かれる構成であれば、どのような構成であっても良い。また上記実施形態では操作つまみの回動角度をストッパ機構によって規制したが（円弧運動）、３６０°回転可能（回転運動）に構成しても良く、また回転以外の揺動運動を行うように構成しても良い。また上記実施形態では、第４ケースの開口が真上方向を向くように設置したが、別の方向（例えば、斜め上方や水平方向や斜め下方等）を向くように設置しても良い。また発光素子の回路基板上での設置位置に種々の変更が可能であることは言うまでもない。また上記実施形態では、光反射面を円錐形状に形成したが、半球形状や多角錐形状等、他の種々の形状に形成しても良い。
【００４０】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００４１】
１  回転式電子部品（電子部品）
２０  第１ケース（ケース）
７０  第２ケース（ケース）
１００  操作つまみ
１０１  操作部
１１１  軸部
１１７  光入射面
１３０  摺動子（検出手段）
１６０  回路基板
１６３  挿通部
１６５  摺接パターン（検出手段）
１６９  発光素子
１９０  導光体
１９５  光出射面
２２０  第３ケース（ケース）
３００  第４ケース（ケース）
３０５  開口
Ａ１  つまみ用導光部
ａ１  隙間
【図１】
2018026346.tif 000003
【図２】
2018026346.tif 000004
【図３】
2018026346.tif 000005
【図４】
2018026346.tif 000006
【図５】
2018026346.tif 000007
【図６】
2018026346.tif 000008